(57)【要約】  シート状部材上に線状伝送部材を固定した配線部材を折曲げる際に、シート状部材上で線状伝送部材の経路が乱れたり、シート状部材から線状伝送部材が分離したりすることを抑制することを目的とする。配線部材は、シート状部材と、前記シート状部材上に固定された複数の線状伝送部材と、を備える。前記複数の線状伝送部材のうちの一部が他の前記線状伝送部材に対して分岐部分で分岐するように前記シート状部材上に固定されている。前記複数の線状伝送部材の交差箇所が前記分岐部分のみに位置している。
2020121432.tif 000002
【特許請求の範囲】
【請求項１】
シート状部材と、
前記シート状部材上に固定された複数の線状伝送部材と、
を備え、
前記複数の線状伝送部材のうちの一部が他の前記線状伝送部材に対して分岐部分で分岐するように前記複数の線状伝送部材が前記シート状部材上に固定され、
前記複数の線状伝送部材の交差箇所が前記分岐部分のみに位置している、配線部材。
【請求項２】
請求項１に記載の配線部材であって、
前記交差箇所は、前記複数の線状伝送部材のうちの一部が他の前記線状伝送部材に対して分岐するように交差している箇所を含む、配線部材。
【請求項３】
請求項１又は請求項２に記載の配線部材であって、
前記交差箇所は、前記複数の線状伝送部材の並び順を変更するように、前記複数の線状伝送部材のうちの一部が他の前記線状伝送部材に対して交差している箇所を含む、配線部材。
【請求項４】
請求項１から請求項３のいずれか１項に記載の配線部材であって、
前記シート状部材は、第１シート状部分と、前記第１シート状部分から分岐する第２シート状部分とを含み、
前記複数の線状伝送部材のうちの一部は前記第１シート状部分で他の前記線状伝送部材に対して分岐して、前記第２シート状部分上に固定され、
前記分岐部分は、前記第２シート状部分から前記第１シート状部分への延長領域を含む、配線部材。
【請求項５】
請求項１から請求項４のいずれか１項に記載の配線部材であって、
前記複数の線状伝送部材のうちの一部が前記シート状部材上で他の前記線状伝送部材に対して分岐しており、
前記分岐部分は、分岐する前記線状伝送部材から前記シート状部材への延長領域を含む配線部材。
【請求項６】
請求項１から請求項５のいずれか１項に記載の配線部材であって、
前記複数の線状伝送部材のうちの一部である複数の線状伝送部材が前記シート状部材上で他の前記線状伝送部材に対して分岐し、前記シート状部材の側縁に設けられたコネクタに接続されており、
前記分岐部分は、前記シート状部材のうち前記コネクタに対応する領域を含む配線部材。
【請求項７】
請求項１から請求項６のいずれか１項に記載の配線部材であって、
前記分岐部分を覆うカバーをさらに備える配線部材。
【請求項８】
シート状部材と、
前記シート状部材上に固定された複数の線状伝送部材と、
を備え、
前記複数の線状伝送部材のうちの一部が他の前記線状伝送部材に対して分岐部分で分岐するように前記シート状部材上に固定され、前記複数の線状伝送部材の並び順を変更するように、前記複数の線状伝送部材のうちの一部が他の前記線状伝送部材に対して交差している箇所が分岐部分に位置している、配線部材。
【発明の詳細な説明】
【技術分野】
【０００１】
この発明は、配線部材に関する。
【背景技術】
【０００２】
特許文献１は、シート状に形成された機能性外装部材と、長手方向に沿った少なくとも一部の領域で前記機能性外装部材に重なるように配設された電線と、を備え、前記電線の絶縁被覆と前記機能性外装部材とが重なる部分の少なくとも一部が溶着されている、ワイヤーハーネスを開示している。
【先行技術文献】
【特許文献】
【０００３】
【特許文献１】特開２０１８−１３７２０８号公報
【発明の概要】
【発明が解決しようとする課題】
【０００４】
特許文献１に開示されたワイヤーハーネスは、梱包、搬送時等において、シート状に形成された機能性外装部材を折曲げることで、コンパクトな形態にすることができる。【０００５】
しかしながら、ワイヤーハーネスを折曲げると、機能性外装部材上で電線の経路が乱れたり、剥がれたりする恐れがある。例えば、特許文献１に開示のワイヤーハーネスでは、電線の経路、コネクタへの接続先位置等に応じて、シート状の機能性外装部材上で、いずれかの電線が他の電線を跨ぐようにして交差して配設される場合があり得る。電線の交差部分では、他の電線を跨ぐ電線の保持力が弱くなる。このため、電線の交差部分で、機能性外装部材が折曲げられると、機能性外装部材上で電線の経路が乱れたり、剥がれたりする恐れがある。【０００６】
そこで、本発明は、シート状部材上に線状伝送部材を固定した配線部材を折曲げる際に、シート状部材上で線状伝送部材の経路が乱れたり、シート状部材から線状伝送部材が分離したりすることを抑制することを目的とする。
【課題を解決するための手段】
【０００７】
上記課題を解決するため、第１の態様に係る配線部材は、シート状部材と、前記シート状部材上に固定された複数の線状伝送部材と、を備え、前記複数の線状伝送部材のうちの一部が他の前記線状伝送部材に対して分岐部分で分岐するように、前記複数の線状伝送部材が前記シート状部材上に固定され、前記複数の線状伝送部材の交差箇所が前記分岐部分のみに位置しているものである。【０００８】
第２の態様は、第１の態様に係る配線部材であって、前記交差箇所は、前記複数の線状伝送部材のうちの一部が他の前記線状伝送部材に対して分岐するように交差している箇所を含む。【０００９】
第３の態様は、第１又は第２の態様に係る配線部材であって、前記交差箇所は、前記複数の線状伝送部材の並び順を変更するように、前記複数の線状伝送部材のうちの一部が他の前記線状伝送部材に対して交差している箇所を含む。【００１０】
第４の態様は、第１から第３のいずれか１つの態様に係る配線部材であって、前記シート状部材は、第１シート状部分と、前記第１シート状部分から分岐する第２シート状部分とを含み、前記複数の線状伝送部材のうちの一部は前記第１シート状部分で他の前記線状伝送部材に対して分岐して、前記第２シート状部分上に固定され、前記分岐部分は、前記第２シート状部分から前記第１シート状部分への延長領域を含む。【００１１】
第５の態様は、第１から第４のいずれか１つの態様に係る配線部材であって、前記複数の線状伝送部材のうちの一部が前記シート状部材上で他の前記線状伝送部材に対して分岐しており、前記分岐部分は、分岐する前記線状伝送部材から前記シート状部材への延長領域を含む。【００１２】
第６の態様は、第１から第５のいずれか１つの態様に係る配線部材であって、前記複数の線状伝送部材のうちの一部である複数の線状伝送部材が前記シート状部材上で他の前記線状伝送部材に対して分岐し、前記シート状部材の側縁に設けられたコネクタに接続されており、前記分岐部分は、前記シート状部材のうち前記コネクタに対応する領域を含む。【００１３】
第７の態様は、第１から第６のいずれか１つの態様に係る配線部材であって、前記分岐部分を覆うカバーをさらに備える。【００１４】
上記課題を解決するため、第８の態様に係る配線部材は、シート状部材と、前記シート状部材上に固定された複数の線状伝送部材と、を備え、前記複数の線状伝送部材のうちの一部が他の前記線状伝送部材に対して分岐部分で分岐するように前記シート状部材上に固定され、前記複数の線状伝送部材の並び順を変更するように、前記複数の線状伝送部材のうちの一部が他の前記線状伝送部材に対して交差している箇所が分岐部分に位置しているものである。
【発明の効果】
【００１５】
配線部材においては、通常、分岐部分を避けた位置で折曲げられて、梱包、搬送等される。そこで、第１の態様のように、複数の線状伝送部材の交差箇所が分岐部分のみに位置している構成とすることで、シート状部材上に線状伝送部材を固定した配線部材を折曲げる際に、シート状部材上で線状伝送部材の経路が乱れたり、シート状部材から線状伝送部材が分離したりすることが抑制される。【００１６】
第２の態様によると、前記複数の線状伝送部材のうちの一部が他の前記線状伝送部材に対して分岐するように交差している箇所を、前記分岐部分に位置させることで、シート状部材上に線状伝送部材を固定した配線部材を折曲げる際に、シート状部材上で線状伝送部材の経路が乱れたり、シート状部材から線状伝送部材が分離したりすることが抑制される。【００１７】
第３の態様によると、前記複数の線状伝送部材の並び順を変更するように、前記複数の線状伝送部材のうちの一部が他の前記線状伝送部材に対して交差している箇所を、前記分岐部分に位置させることで、シート状部材上に線状伝送部材を固定した配線部材を折曲げる際に、シート状部材上で線状伝送部材の経路が乱れたり、シート状部材から線状伝送部材が分離したりすることが抑制される。【００１８】
第４の態様のように、シート状部材が、第１シート状部分と、第１シート状部分から分岐する第２シート状部分とを含む場合、通常、シート状部材の折曲げ箇所を少なくするため、第１シート状部材は、第２シート状部分を避けた位置で折曲げられる。このため、分岐部分が、前記第２シート状部分から前記第１シート状部分への延長領域を含めば、シート状部材を折曲げる際に、シート状部材が複数の線状伝送部材の交差箇所で折曲げられることを抑制できる。【００１９】
第５の態様のように、前記複数の線状伝送部材のうちの一部の線状伝送部材がシート状部材上で他の前記線状伝送部材に対して分岐している場合、通常、分岐する線状伝送部材の分岐先部分の折曲げを抑制するため、シート状部材は、分岐する線状伝送部材の分岐先部分を避けた位置で折曲げられる。このため、分岐部分が、分岐する前記線状伝送部材から前記シート状部材への延長領域を含めば、シート状部材を折曲げる際に、シート状部材が複数の線状伝送部材の交差箇所で折曲げられることを抑制できる。【００２０】
第６の態様のように、前記複数の線状伝送部材のうちの一部である複数の線状伝送部材が前記シート状部材上で他の前記線状伝送部材に対して分岐し、前記シート状部材の側縁に設けられたコネクタに接続されている場合、通常、配線部材は、コネクタを避けた位置で折曲げられる。このため、分岐部分が、前記シート状部材のうち前記コネクタに対応する領域を含めば、シート状部材を折曲げる際に、シート状部材が複数の線状伝送部材の交差箇所で折曲げられることを抑制できる。【００２１】
第７の態様によると、分岐部分に位置する交差箇所において、カバーによって、シート状部材上で線状伝送部材の経路が乱れたり、シート状部材から線状伝送部材が分離したりすることがより抑制される。【００２２】
第８の態様によると、前記複数の線状伝送部材の並び順を変更するように、前記複数の線状伝送部材のうちの一部が他の前記線状伝送部材に対して交差している箇所において、シート状部材上で線状伝送部材の経路が乱れたり、シート状部材から線状伝送部材が分離したりすることが抑制される。
【図面の簡単な説明】
【００２３】
【図１】実施形態に係る配線部材を示す概略平面図である。
【図２】同上の配線部材を折畳んだ状態を示す概略平面図である。
【図３】第１変形例に係る配線部材を示す概略平面図である。
【図４】第２変形例に係る配線部材を示す概略平面図である。
【図５】第３変形例に係る配線部材を示す概略平面図である。
【図６】第４変形例に係る配線部材を示す概略平面図である。
【発明を実施するための形態】
【００２４】
以下、実施形態に係る配線部材について説明する。図１は配線部材１０を示す概略平面図であり、図２は同配線部材１０を折畳んだ状態を示す概略平面図である。
【００２５】
配線部材１０は、シート状部材２０と、複数の線状伝送部材３０とを備える。本例では、配線部材１０は、コネクタ４０Ａ、４０Ｂ、４０Ｃ、４０Ｄをも備える。
【００２６】
線状伝送部材３０は、電気又は光を伝送する線状部材である。シート状部材２０は、シート状の部材である。このシート状部材２０上に、複数の線状伝送部材３０が固定される。複数の線状伝送部材３０のうちの一部は他の線状伝送部材３０に対して分岐部分５０Ａ、５０Ｂで分岐するように、シート状部材２０上に固定されている。分岐部分５０Ａ、５０Ｂは、配線部材１０全体として見た場合に、線状伝送部材３０が分岐していると把握される領域である。複数の線状伝送部材３０は、シート状部材２０上で交差しており、この交差箇所３８ａ、３８ｂ、３８ｃ、３８ｄが分岐部分５０Ａ、５０Ｂのみに位置している。
【００２７】
コネクタ４０Ａ、４０Ｂ、４０Ｃ、４０Ｄは、車両に搭載された部品に接続される部品である。複数の線状伝送部材３０の端部がコネクタ４０Ａ、４０Ｂ、４０Ｃ、４０Ｄのいずれかに接続されている。コネクタ４０Ａ、４０Ｂ、４０Ｃ、４０Ｄが車両に搭載された相手側のコネクタに接続されることで、線状伝送部材３０と当該部品とが電気的に接続され、或は、光信号を送受可能に接続される。
【００２８】
本配線部材１０が車両に搭載された状態で、複数のコネクタ４０Ａ、４０Ｂ、４０Ｃ、４０Ｄが車両に搭載された各部品に接続される。これにより、車両に搭載された部品の間で、電気信号の送受信、電力の送受、光信号の送受信がなされる。つまり、配線部材１０は、車両に搭載された部品同士を接続する配線部品である。特に、配線部材１０において、複数の線状伝送部材３０が分岐していることから、複数の部品を分岐した経路を介して接続することが可能となる。
【００２９】
各部についてより具体的に説明する。
【００３０】
線状伝送部材３０は、電気又は光等を伝送する線状の部材であればよい。例えば、線状伝送部材は、芯線と芯線の周囲の被覆とを有する一般電線であってもよいし、裸導線、シールド線、エナメル線、ニクロム線、光ファイバ等であってもよい。
【００３１】
電気を伝送する線状伝送部材としては、各種信号線、各種電力線であってもよい。電気を伝送する線状伝送部材は、信号又は電力を空間に対して送る又は空間から受けるアンテナ、コイル等として用いられてもよい。
【００３２】
ここでは線状伝送部材３０が一般電線３０（以下、単に電線３０という）であるものとして説明する。電線３０は、伝送線本体としての芯線と、芯線を覆う被覆としての絶縁被覆とを有する。電線に関する各説明は、適用不可能な構成を除き、線状伝送部材の各例示物に適用可能である。
【００３３】
芯線は、１本又は複数本の素線で構成される。素線は、銅、銅合金、アルミニウム、アルミニウム合金等の導体で形成される。芯線が複数本の素線で構成される場合、複数本の素線は撚られていてもよい。絶縁被覆は、ＰＶＣ（ポリ塩化ビニル）、ＰＥ（ポリエチレン）などの樹脂材料が芯線の周囲に押出成形されるなどして形成される。ここでは電線３０は、横断面が円形のいわゆる丸電線である。
【００３４】
シート状部材２０は、電線３０を２次元的に位置決めした状態で保持でき、かつ、折曲げ可能な柔軟なシート状部材である。
【００３５】
シート状部材２０を構成する材料は特に限定されるものではないが、シート状部材２０は、好ましくはＰＶＣ（ポリ塩化ビニル）、ＰＥＴ（ポリエチレンテレフタレート）、ＰＰ（ポリプロピレン）等の樹脂を含む材料によって形成される。シート状部材２０は、内部が一様に埋ったシート部材であってもよいし、不織シート等であってもよい。シート状部材２０は、金属などの材料を含むこともあり得る。シート状部材２０は、単層であってもよいし、複数層積層されていてもよい。複数層積層されている場合、例えば、樹脂層と樹脂層とが積層されていることが考えられる。また例えば、樹脂層と金属層とが積層されていることが考えられる。
【００３６】
シート状部材２０の一主面上に、電線３０が固定されている。シート状部材２０の一主面上において、電線３０は一定の経路に沿って固定されている。
【００３７】
シート状部材２０の一主面上には、複数の電線３０が固定される。シート状部材２０上における電線３０の経路は、直線であってもよいし、途中で曲る経路であってもよい。シート状部材２０の一主面上において、複数の電線３０は途中で分岐している。
【００３８】
より具体的には、シート状部材２０は、第１シート状部分２２と、第２シート状部分２４ａ、２４ｂとを含む。第２シート状部分２４ａ、２４ｂは、第１シート状部分２２の延在方向中間部で曲って第１シート状部分２２の側方に分岐している。ここでは、第１シート状部分２２は、細長く真っ直ぐ延びる帯状に形成されている。第１シート状部分は曲っていてもよい。第２シート状部分２４ａ、２４ｂは細長く真っ直ぐ延びる帯状に形成されている。第２シート状部分２４ａは、第１シート状部分２２の一側部の延在方向中間部から第１シート状部分２２の一側外方に向けて延在するように分岐している。第２シート状部分２４ｂは、第１シート状部分２２の他側部の延在方向中間部から第１シート状部分２２の他側外方に向けて延在するように分岐している。ここでは、第２シート状部分２４ａ、２４ｂは、第１シート状部分２２の延在方向において異なる箇所に設けられている。より具体的には、第２シート状部分２４ａは第１シート状部分２２の一端寄りの位置に設けられ、第２シート状部分２４ｂは第１シート状部分２２の他端寄りの位置に設けられている。第２シート状部分が複数設けられる場合、そのうちの２つの第２シート状部分が第１シート状部分の延在方向において同じ位置に設けられていてもよい。また、第２シート状部分２４ａ、２４ｂは、第１シート状部分２２の延在方向に対して直交する姿勢で延出している。第２シート状部分は、第１シート状部分の延在方向に対して斜め方向に延出していてもよい。第２シート状部分は、１つであってもよく、３つ以上であってもよい。
【００３９】
便宜上、複数の電線３０を、電線３０ａ、３０ｂ、３０ｃ、３０ｄ、３０ｅ、３０ｆと区別する場合がある。複数の電線３０ａ、３０ｂ、３０ｃ、３０ｄ、３０ｅ、３０ｆは、第１シート状部分２２の一端側では、並列状態で第１シート状部分２２に固定されている。複数の電線３０ａ、３０ｂ、３０ｃ、３０ｄ、３０ｅ、３０ｆは、第１シート状部分２２の一端部でコネクタ４０Ａに接続されている。コネクタ４０Ａは、端子が所定の並び順で、ハウジングに収容された構成とされている。複数の電線３０ａ、３０ｂ、３０ｃ、３０ｄ、３０ｅ、３０ｆの並びは、複数の電線３０ａ、３０ｂ、３０ｃ、３０ｄ、３０ｅ、３０ｆに接続される端子がハウジングに収容される並びに応じて決定されている。コネクタ４０Ａは、シート状部材２０に固定されていてもよい。電線３０ａ、３０ｂ、３０ｃ、３０ｄ、３０ｅ、３０ｆの端部がシート状部材２０から延出してコネクタ４０Ａに接続されていてもよい。これは、他のコネクタ４０Ｂ、４０Ｃ、４０Ｄについても同様である。
【００４０】
第１シート状部分２２の延在方向中間部で、一部の電線３０ｄ、３０ｆが途中で元の部分から曲って他の電線３０ａ、３０ｂ、３０ｃ、３０ｅに対して分岐している。一部の電線３０ｄ、３０ｆは、他の電線３０ａ、３０ｂ、３０ｃ、３０ｅに対して分岐して直交する姿勢で延在している。電線３０ｄ、３０ｆの曲げ半径が、電線３０ａ、３０ｂ、３０ｃ、３０ｄ、３０ｅ、３０ｆの間隔と同程度又は当該間隔よりも小さいと、電線３０ｄ、３０ｆと、電線３０ａ、３０ｂ、３０ｃとは、それぞれの直線延長上で交差する。電線３０ｄ、３０ｆの曲げ半径は、電線３０ａ、３０ｂ、３０ｃ、３０ｄ、３０ｅ、３０ｆの間隔よりも大きくてもよい。その場合、電線３０ｄ、３０ｆは、電線３０ａ、３０ｂ、３０ｃに対して、それらの直線延長上からずれた位置で交差する。電線３０ｄ、３０ｆが電線３０ａ、３０ｂ、３０ｃに対して直交していることから、第１シート状部分２２の延在方向において交差箇所３８ａの分布範囲を狭めることができる。他の交差箇所についても、同様に直交交差する構成とすることで、交差箇所の分布範囲を狭めることができる。ここでは、電線３０ｄが、他の電線３０ａ、３０ｂ、３０ｃに対して交差する箇所が交差箇所３８ａである。また、電線３０ｆが他の電線３０ａ、３０ｂ、３０ｃ、３０ｅ、３０ｆに対して交差する箇所が交差箇所３８ｂである。交差箇所３８ａ、３８ｂは、複数の線状伝送部材のうちの一部が他の線状伝送部材に対して分岐するように交差している箇所の一例である。
【００４１】
電線３０ｄ、３０ｆは、第１シート状部分２２上で他の電線３０ａ、３０ｂ、３０ｃ、３０ｅに対して分岐し、第２シート状部分２４ａに向けて延出して当該第２シート状部分２４ａ上に並列状態で固定される。電線３０ｄ、３０ｆは、第２シート状部分２４ａの端部で、コネクタ４０Ｂに接続される。電線３０ｄ、３０ｆの並び順も、電線３０ｄ、３０ｆの端部に接続される端子がコネクタ４０Ｂ内に収容される配置に応じて決定される。
【００４２】
第１シート状部分２２の延在方向中間部であって、上記電線３０ｄ、３０ｆよりも第１シート状部分２２の他端側にずれた位置で、一部の電線３０ａ、３０ｂが途中で元の部分から曲って、他の電線３０ｃ、３０ｅに対して分岐している。一部の電線３０ａ、３０ｂは、他の電線３０ｃ、３０ｅに対して分岐して直交する姿勢で延在している。電線３０ａ、３０ｂの曲げ半径は、上記と同様に、電線３０ａ、３０ｂ、３０ｃ、３０ｄ、３０ｅ、３０ｆの間隔と同程度であってもよいし、当該間隔よりも小さくてもよいし、当該間隔より大きくてもよい。ここでは、電線３０ａが、他の電線３０ｃ、３０ｅに対して交差する箇所が交差箇所３８ｃである。また、電線３０ｂが他の電線３０ｃ、３０ｅに対して交差する箇所が交差箇所３８ｄである。交差箇所３８ｃ、３８ｄは、複数の線状伝送部材のうちの一部が他の線状伝送部材に対して分岐するように交差している箇所の一例である。
【００４３】
電線３０ａ、３０ｃは、第１シート状部分２２上で他の電線３０ｃ、３０ｅに対して分岐し、第２シート状部分２４ｂに向けて延出して当該第２シート状部分２４ｂ上で並列状態で固定される。電線３０ａ、３０ｂは、第２シート状部分２４ｂの端部で、コネクタ４０Ｃに接続される。電線３０ａ、３０ｂの並び順も、電線３０ａ、３０ｂの端部に接続される端子がコネクタ４０Ｃ内に収容される配置に応じて決定される。
【００４４】
残りの電線３０ｃ、３０ｅは、第１シート状部分２２の他端部に向けて延在する。第１シート状部分２２の他端部における電線３０ｃ、３０ｅの並び順は、電線３０ａ、３０ｂの端部に接続される端子がコネクタ４０Ｄ内に収容される配置に応じて決定される。ここでは、コネクタ４０Ａ、４０Ｄにおける端子の収容位置に応じて、第１シート状部分２２の他端部における電線３０ｃ、３０ｅの並び順と第１シート状部分２２の一端部における電線３０ｃ、３０ｅの並び順とが変っている。そこで、複数の電線３０ｃ、３０ｅの並び順を変更するように、電線３０ｅが途中で曲って電線３０ｃに対して交差している。ここでは、交差箇所３８ｃ、３８ｄの近くで、電線３０ｅが電線３０ｃに対して交差するように曲げられ、第１シート状部分２２の他端部寄りの位置で、電線３０ｃに対して平行に延在している。ここでは、電線３０ｅは、電線３０ｃに対して直交姿勢で交差しており、電線３０ｅのうち電線３０ｃと交差する両側の部分は、電線３０ｃに対して平行姿勢で延在している。電線３０ｅのうち電線３０ｃと交差する部分と、電線３０ｃに対して平行に延在する部分との間は、曲線的に曲げられている。この曲げ半径は、上記と同様に、電線３０ａ、３０ｂ、３０ｃ、３０ｄ、３０ｅ、３０ｆの間隔と同程度であってもよいし、当該間隔よりも小さくてもよいし、当該間隔より大きくてもよい。電線３０ｃと電線３０ｅとの交差箇所３９が、電線３０ｃ、３０ｅの並び順を変更するように、電線３０ｃと電線３０ｅとが交差する箇所の一例である。電線３０ｃ、３０ｅは、第１シート状部分２２の他端部上で並列状態で固定される。電線３０ｃ、３０ｅは、第１シート状部分２２の他端部で、コネクタ４０Ｄに接続される。
【００４５】
上記交差箇所３８ａ、３８ｂ、３８ｃ、３８ｄ、３９は、分岐部分のみに位置している。配線部材における分岐部分は、複数の電線のうちの一部が他の電線から分岐する部分である。ここで、交差箇所３８ａ、３８ｂ、３８ｃ、３８ｄ、３９を、分岐部分のみに位置させる理由は、配線部材１０を梱包、搬送時等において折曲げてコンパクトな形態とする際に、交差箇所３８ａ、３８ｂ、３８ｃ、３８ｄ、３９が折曲げられるのを避けるためである。すなわち、複数の電線３０はシート状部材２０に固定されているところ、複数の電線３０が交差していると、シート状部材２０から離れて上側に位置している電線３０については、保持強度が弱くなる恐れがある。このため、配線部材１０が交差箇所３８ａ、３８ｂ、３８ｃ、３８ｄ、３９で折曲げられると、シート状部材２０上で電線３０の経路が乱れたり、電線３０がシート状部材２０から剥がれたりする恐れがある。そこで、交差箇所３８ａ、３８ｂ、３８ｃ、３８ｄ、３９を、分岐部分のみに位置させることで、梱包、搬送時等において、配線部材１０が交差箇所３８ａ、３８ｂ、３８ｃ、３８ｄ、３９で折曲げられるのを避けるようにしている。
【００４６】
この点からして、一例として、分岐部分５０Ａ、５０Ｂは、第２シート状部分２４ａ、２４ｂから第１シート状部分２２への延長領域であると捉えてもよい。仮に、第１シート状部分２２を、第２シート状部分２４ａ、２４ｂの存在領域で折曲げると、当該第２シート状部分２４ａ、２４ｂを折曲げる必要が生じ、折曲げ作業が面倒であるし、また、折曲げ形態も安定しない。このため、配線部材１０を折曲げるとしても、通常、第２シート状部分２４ａ、２４ｂの存在領域で折曲げることは、避けられるからである。
【００４７】
ここでは、第１シート状部分２２の一側から第２シート状部分２４ａが分岐している。第２シート状部分２４ａの両側縁を第１シート状部分２２に延長した一対の線５０Ｌａと、第１シート状部分２２の両側縁とで囲まれる四角形の領域を分岐部分５０Ａと捉えてもよい。また、第１シート状部分２２の他側から第２シート状部分２４ｂが分岐している。第２シート状部分２４ｂの両側縁を第１シート状部分２２に延長した一対の線５０Ｌｂと、第１シート状部分２２の両側縁とで囲まれる四角形の領域を分岐部分５０Ｂと捉えてもよい。交差箇所３８ａ、３８ｂは、分岐部分５０Ａ内に位置しており、交差箇所３８ｃ、３８ｄ、３９は、分岐部分５０Ｂ内に位置している。
【００４８】
なお、電線３０とシート状部材２０との固定する態様は、接触部位固定であってもよいし、非接触部位固定であってもよいし、両者が併用されていてもよい。ここで接触部位固定とは、電線３０とシート状部材２０とが接触する部分がくっついて固定されているものである。また、非接触部位固定とは、接触部位固定でない固定態様である。例えば、縫糸、別のシート部材、粘着テープなどが、電線３０をシート状部材２０に向けて押え込んだり、縫糸、別のシート部材、粘着テープなどが、電線３０とシート状部材２０とを囲む状態等となって、電線３０とシート状部材２０とを挟み込んだりして、電線３０とシート状部材２０とが固定された状態に維持するものである。本例では、電線３０とシート状部材２０とが、接触部位固定の状態にあるものとして想定している。接触部位固定に関する各説明は、適用不可能な構成でない限り、非接触部位固定にも適用可能である。
【００４９】
係る接触部位固定の態様として、接触部位間接固定であってもよいし、接触部位直接固定であってもよいし、異なる領域で両者が併用されていてもよい。ここで接触部位間接固定とは、電線３０とシート状部材２０とが、その間に設けられた接着剤、粘着剤、両面粘着テープなどの介在部材を介して間接的にくっついて固定されているものである。また接触部位直接固定とは、電線３０とシート状部材２０とが別に設けられた接着剤等を介さずに直接くっついて固定されているものである。接触部位直接固定では、例えば電線３０とシート状部材２０とのうち少なくとも一方に含まれる樹脂が溶かされることによってくっついて固定されることが考えられる。以下では、電線３０とシート状部材２０とが、接触部位直接固定の状態にあるものとして説明する。接触部位直接固定に関する各説明は、適用不可能な構成でない限り、接触部位間接固定にも適用可能である。
【００５０】
係る接触部位直接固定の状態が形成されるに当たり、樹脂は、例えば、熱によって溶かされることも考えられるし、溶剤によって溶かされることも考えられる。つまり、接触部位直接固定の状態としては、熱による接触部位直接固定の状態であってもよいし、溶剤による接触部位直接固定の状態であってもよい。好ましくは、熱による接触部位直接固定の状態であるとよい。
【００５１】
このとき接触部位直接固定の状態を形成する構成は特に限定されるものではなく、溶着、融着、溶接等の公知の構成を含む各種構成を用いることができる。例えば、溶着によって熱による接触部位直接固定の状態を形成する場合、超音波溶着、加熱加圧溶着、熱風溶着、高周波溶着など種々の溶着構成を採用することができる。またこれらの構成によって接触部位直接固定の状態が形成されると、電線３０とシート状部材２０とは、その構成による接触部位直接固定の状態とされる。具体的には、例えば、超音波溶着によって接触部位直接固定の状態が形成されると、電線３０とシート状部材２０とは、超音波溶着による接触部位直接固定の状態とされる。溶着によって熱による接触部位直接固定の状態を形成した部分（電線３０とシート状部材２０との固定部分）を溶着部、このうち、超音波溶着による固定部分を超音波溶着部、加熱加圧溶着による固定部分を加熱加圧溶着部等と称してもよい。
【００５２】
接触部位直接固定の場合、電線３０の被覆に含まれる樹脂のみが溶けていてもよいし、シート状部材２０に含まれる樹脂のみが溶けていてもよい。これらの場合において、溶けた方の樹脂が他方の外面にくっついた状態となり、比較的はっきりした界面が形成されることがある。また、接触部位直接固定の場合、電線３０の被覆に含まれる樹脂とシート状部材２０に含まれる樹脂の両方が溶けていてもよい。この場合、両方の樹脂が混ざり合ってはっきりした界面が形成されないことがある。特に、電線３０の被覆とシート状部材２０とが、同じ樹脂材料など相溶しやすい樹脂を含む場合などに、両方の樹脂が混ざり合ってはっきりした界面が形成されないことがある。
【００５３】
このように構成された配線部材１０は、分岐部分５０Ａ、５０Ｂを避けた位置で折曲げられる。例えば、図２に示すように、第１シート状部分２２のうち分岐部分５０Ａに対して一端側寄りの位置で折曲げられる。なお、折曲げは、配線部材１０を重ねることができる程度に折曲げられればよい。
【００５４】
以上のように構成された配線部材１０によると、配線部材１０においては、通常、分岐部分５０Ａ、５０Ｂを避けた位置で折曲げられて、梱包、搬送等される。そこで、電線３０の交差箇所３８ａ、３８ｂ、３８ｃ、３８ｄ、３９が分岐部分５０Ａ、５０Ｂのみに位置している構成とすることで、シート状部材２０に電線３０を固定した配線部材１０を折曲げる際に、シート状部材２０上で電線３０の経路が乱れたり、シート状部材２０から電線３０が分離したりすることが抑制される。
【００５５】
また、複数の電線３０のうちの一部が他の電線に対して分岐するように交差する交差箇所３８ａ、３８ｂ、３８ｃ、３８ｄを、分岐部分５０Ａ、５０Ｂに位置させることで、配線部材１０を折曲げる際に、シート状部材２０上で電線３０の経路が乱れたり、シート状部材２０から電線３０が分離したりすることが抑制される。
【００５６】
また、複数の電線３０（ここでは電線３０ｃ、３０ｅ）の並び順を変更するように、複数の電線３０のうちの一部が他の電線３０に対して交差している交差箇所３９を、分岐部分５０Ｂに位置させることで、配線部材１０を折曲げる際に、シート状部材２０上で電線３０の経路が乱れたり、シート状部材２０から電線３０が分離したりすることが抑制される。この構成を採用する場合、他の交差箇所３８ａ、３８ｂ、３８ｃ、３８ｄについては、分岐部分５０Ａ、５０Ｂ以外に位置していても、当該並び順を変更するための交差箇所については、シート状部材２０上で電線３０の経路が乱れたり、シート状部材２０から電線３０が分離したりすることを抑制することができる。よって、本明細書は、シート状部材と、前記シート状部材上に固定された複数の線状伝送部材と、を備える配線部材であって、前記複数の線状伝送部材のうちの一部が他の前記線状伝送部材に対して分岐部分で分岐するように前記シート状部材上に固定され、前記複数の線状伝送部材の並び順を変更するように、前記複数の線状伝送部材のうちの一部が他の前記線状伝送部材に対して交差している箇所が分岐部分に位置しているものを開示している。
【００５７】
また、第１シート状部分２２から第２シート状部分２４ａ、２４ｂが分岐している場合、通常、シート状部材２０の折曲げ箇所を少なくするため、第１シート状部分２２は、第２シート状部分２４ａ、２４ｂを避けた位置で折曲げられる。そこで、分岐部分５０Ａ、５０Ｂが第２シート状部分２４ａ、２４ｂから第１シート状部分２２への延長領域であるとすれば、配線部材１０を折曲げる際に、シート状部材２０上で電線３０の経路が乱れたり、シート状部材２０から電線３０が分離したりすることが抑制される。
【００５８】
｛変形例｝
上記実施形態を前提として、各種変形例について説明する。
【００５９】
図３は第１変形例に係る配線部材１１０を示す概略平面図である。配線部材１１０は、分岐部分５０Ａ、５０Ｂを覆うカバー１６０をさらに備える。ここでは、分岐部分５０Ａを覆うカバー１６０は、分岐部分５０Ａよりも大きく、従って、分岐部分５０Ａの全体を覆っている。また、分岐部分５０Ｂを覆うカバー１６０は、分岐部分５０Ｂよりも大きく、従って、分岐部分５０Ｂの全体を覆っている。カバー１６０が分岐部分５０Ａ、５０Ｂ全体を覆っている必要は無く、少なくとも交差箇所３８ａ、３８ｂ、３８ｃ、３８ｄ、３９を覆っていればよい。
【００６０】
カバー１６０としては、例えば、ＰＶＣ、ＰＥ、ＰＥＴ、ＰＰ、ＰＡ等の樹脂シートであってもよいし、アルミニウム又は銅などの金属シートであってもよい。また、カバー１６０は、織物、編物、不織布等の繊維材であってもよいし、押出成形又は射出成形等による部材等の成型材であってもよい。また、カバー１６０は、発泡成形された発泡材であってもよいし、発泡成形されずに一様に充実な充実材であってもよい。また、カバー１６０は、１層のみを有するものであってもよいし、複数層を有するものであってもよい。
【００６１】
シート状部材２０に対するカバー１６０の固定は、いかなる構成によってなされてもよい。例えば、シート状部材２０の主面のうち電線３０の経路を避けた側方領域で、カバー１６０がシート状部材２０に固定されてもよい。また、シート状部材２０の主面全体領域で、カバー１６０がシート状部材２０に固定されていてもよい。
【００６２】
両者の固定態様としては、電線３０をシート状部材２０に固定したのと同様の構成を採用することができる。すなわち、両者の固定態様は、接触部位固定であってもよいし、非接触部位固定であってもよいし、両者が併用されていてもよい。また、接触部位固定の態様として、接触部位間接固定であってもよいし、接触部位直接固定であってもよいし、異なる領域で両者が併用されていてもよい。例えば、カバー１６０をシート状部材２０に対して、超音波溶着、加熱加圧溶着、熱風溶着、高周波溶着等によって固定することができる。
【００６３】
この変形例によると、分岐部分５０Ａ、５０Ｂに位置する交差箇所３８ａ、３８ｂ、３８ｃ、３８ｄ、３９が、カバー１６０によって覆われている。このため、当該カバー１６０によって、電線３０がシート状部材２０から離れに難くなり、シート状部材２０上で電線３０の経路が乱れたり、シート状部材２０から電線３０が分離したりすることが、より抑制される。また、シート状部材２０に対してカバー１６０によって剛性が付与されるため、シート状部材２０のうちカバー１６０が設けられた部分で曲り難くなる。このため、配線部材１１０が、カバー１６０が設けられた部分、即ち、分岐部分５０Ａ、５０Ｂで折り曲げられ難くなり、この点からも、シート状部材２０上で電線３０の経路が乱れたり、シート状部材２０から電線３０が分離したりすることが抑制される。
【００６４】
本変形例において、複数の分岐部分５０Ａ、５０Ｂが設けられる場合、その一部にのみカバー１６０が設けられてもよい。
【００６５】
図４は第２変形例に係る配線部材２１０を示す概略平面図である。この配線部材２１０において、シート状部材２０に対応するシート状部材２２０は、第２シート状部分２４ａ、２４ｂを有していない。つまり、シート状部材２２０は、全体的に分岐しないで１つのラインを描くように延びる形状、ここでは、細長く真っ直ぐ延びる帯状に形成されている。
【００６６】
複数の電線３０ａ、３０ｂ、３０ｃ、３０ｄ、３０ｅ、３０ｆは、シート状部材２２０上で、上記実施形態と同様の経路に沿って固定されている。
【００６７】
すなわち、シート状部材２２０の延在方向中間部で、一部の電線３０ｄ、３０ｆが、他の電線３０ａ、３０ｂ、３０ｃ、３０ｅに対して分岐している。一部の電線３０ｄ、３０ｆは、他の電線３０ａ、３０ｂ、３０ｃ、３０ｅに対して分岐して直交する姿勢で延在している。
【００６８】
電線３０ｄ、３０ｆは、シート状部材２２０上で他の電線３０ａ、３０ｂ、３０ｃ、３０ｅに対して分岐し、シート状部材２２０の一側方から外方に延出している。上記実施形態とは異なり、第２シート状部分２４ａが存在しないことから、電線３０ｄ、３０ｆは、シート状部材によっては規制されない状態で外方に延出している。この部分に、粘着テープ等の外装材が外装されてもよい。
【００６９】
この場合、分岐部分２５０Ａは、分岐する電線３０ｄ、３０ｆからシート状部材２２０への延長領域であると捉えてもよい。すなわち、複数の電線３０ｄ、３０ｆが分岐する場合、その並列方向両側の電線３０ｄ、３０ｆを、シート状部材２２０側に延長した一対の線２５０Ｌａと、シート状部材２２０の両側縁とで囲まれる四角形の領域を分岐部分２５０Ａと捉えてもよい。
【００７０】
配線部材２１０を梱包、搬送時等において折曲げてコンパクトな形態とする際に、通常、分岐する電線３０ｄ、３０ｆの分岐先部分の折曲げを抑制するため、シート状部材２２０は、分岐する電線３０ｄ、３０ｆの分岐先部分を避けた位置で折曲げられる。このため、分岐部分２５０Ａが分岐する電線３０ｄ、３０ｆからシート状部材２２０への延長領域を含めば、シート状部材２２０を折曲げる際に、シート状部材２２０が複数の電線３０の交差箇所３８ａ、３８ｂで折曲げられることを抑制できる。これにより、配線部材１０を折曲げる際に、シート状部材２０上で電線３０の経路が乱れたり、シート状部材２０から電線３０が分離したりすることが抑制される。
【００７１】
なお、分岐する電線が１つの場合、その分岐する電線と他の電線との交差箇所が、当該分岐する電線の延長上に存在すればよい。また、分岐する電線が３つ以上の場合、分岐する複数の電線の並列方向両側のものの直線延長上に囲まれる範囲を分岐部分として、その範囲内に交差箇所が存在すればよい。このような分岐部分には、電線の並び順を変更するための交差箇所が存在してもよい。
【００７２】
また、シート状部材２２０の延在方向中間部であって、上記電線３０ｄ、３０ｆよりもシート状部材２２０の他端側にずれた位置で、一部の電線３０ａ、３０ｂが、他の電線３０ｃ、３０ｅに対して分岐している。一部の電線３０ａ、３０ｂは、他の電線３０ｃ、３０ｅに対して分岐して直交する姿勢で延在している。
【００７３】
電線３０ａ、３０ｃは、シート状部材２２０で他の電線３０ｃ、３０ｅに対して分岐し、シート状部材２２０の他側に向けて延びてシート状部材２２０上で並列状態で固定される。シート状部材２２０の他側の縁部にはコネクタ４０Ｃが設けられている。コネクタ４０Ｃは、シート状部材２２０の縁部に固定されていてもよいし、固定されていなくてもよい。コネクタ４０Ｃは、シート状部材２２０の縁部に重なって配置されていてもよいし、シート状部材２２０の縁部から離れていてもよい。コネクタ４０Ｃは、シート状部材２２０の折曲げの妨げになる程度の近さで、シート状部材２２０の縁部に沿って配置されていればよい。電線３０ａ、３０ｃは、このようなコネクタ４０Ｃに接続されている。
【００７４】
この場合、分岐部分２５０Ｂは、シート状部材２２０のうちコネクタ４０Ｃに対応する領域である。すなわち、コネクタ４０Ｃは、シート状部材２２０の他方の縁部に沿って配置されていることから、コネクタ４０Ｃの両側縁部をシート状部材２２０に向けて延長した一対の線２５０Ｌｂとシート状部材２２０の両側縁とで囲まれる四角形の領域を分岐部分２５０Ｂと捉えてもよい。
【００７５】
このように、複数の電線３０の一部の電線３０ａ、３０ｂがシート状部材２０上で他の電線３０ｃ，３０ｅに対して分岐し、シート状部材３２０の側縁に設けられたコネクタ４０Ｃに接続されている場合、通常、配線部材２１０は、コネクタ４０Ｃを避けた位置で折曲げられる。このため、分岐部分２５０Ｂが、シート状部材２２０のうちコネクタ４０Ｃに対応する領域を含めば、シート状部材２２０を折曲げる際に、シート状部材２２０が複数の電線３０の交差箇所３８ｃ、３８ｄで折曲げられることを抑制できる。
【００７６】
また、複数の電線３０（ここでは電線３０ｃ、３０ｅ）の並び順を変更するように、複数の電線３０のうちの一部が他の電線３０に対して交差している交差箇所３９を、上記分岐部分２５０Ｂに位置させることで、そのような交差箇所３９についても、シート状部材２０上で電線３０の経路が乱れたり、シート状部材２０から電線３０が分離したりすることが抑制される。
【００７７】
図５は第３変形例に係る配線部材３１０を示す概略平面図である。この配線部材３１０では、シート状部材３２０は、細長い第１シート状部分３２２の一側部から第２シート状部分３２４が分岐して延在している。第２シート状部分３２４は、第１シート状部分３２２に対して斜めに延出している。
【００７８】
第１シート状部分３２２の延在方向中間部において、複数の電線３３０ａ、３３０ｂ、３３０ｃのうちの一部の電線３３０ｂ、３３０ｃが他の電線３３０ａから分岐している。一部の電線３３０ｂ、３３０ｃは、他の電線３３０ａに対して交差箇所３３８ａ、３３８ｂで交差して分岐し、第２シート状部分３２４上に延びて当該第２シート状部分３２４に固定されている。ここでは、交差箇所３３８ａ、３３８ｂは、電線３３０ｂ、３３０ｃの直線延長線、及び、電線３３０ａの直線延長線の交差箇所に位置している。第１シート状部分３２２の端部、及び、第２シート状部分３２４の端部において、電線３３０ａ、３３０ｂ、３３０ｃは、適宜コネクタ３４０に接続されている。
【００７９】
この場合、分岐部分３５０Ａは、上記実施形態と同様に、第２シート状部分３２４の両側縁を第１シート状部分３２２に延長した一対の線３５０Ｌａと、第１シート状部分３２２の両側縁とで囲まれる四角形（ここでは平行四辺形）の領域を分岐部分３５０Ａと捉えてもよい。上記交差箇所３３８ａ、３３８ｂは、分岐部分３５０Ａに位置している。
【００８０】
分岐部分３５０Ａには、複数の電線の並び順を変更するように、複数の電線のうちの一部が他の電線に対して交差している箇所が位置していてもよい。
【００８１】
かかる配線部材３１０においても、分岐部分３５０Ａの近く折曲げられることは避けられると考えられるため、シート状部材３２０上で電線３３０ａ、３３０ｂ、３３０ｃの経路が乱れたり、シート状部材３２０から電線３３０ａ、３３０ｂ、３３０ｃが分離したりすることが抑制される。
【００８２】
図６は第４変形例に係る配線部材４１０を示す概略平面図である。この配線部材４１０では、シート状部材４２０は、細長い第１シート状部分４２２と、当該第１シート状部分４２２から分岐する複数（ここでは２つ）の第２シート状部分４２４ａ、４２４ｂを備える。第２シート状部分４２４ａ、４２４ｂは、第１シート状部分４２２の端部から当該第１シート状部分４２２に対して斜めに延出している。
【００８３】
複数の電線４３０ａ、４３０ｂ、４３０ｃが第１シート状部分４２２に対して並列状態で固定されている。複数の電線４３０ａ、４３０ｂ、４３０ｃは、第１シート状部分４２２の端部で２つに分岐している。すなわち、電線４３０ｂが途中で元の部分に対して曲って他の電線４３０ａ、４３０ｃに対して分岐している。電線４３０ｂは、第２シート状部分４２４ａ上に固定されている。電線４３０ａ、４３０ｃが途中で元の部分に対して曲って他の電線４３０ｂに対して分岐している。電線４３０ａ、４３０ｃは、第２シート状部分４２４ｂ上に並列状態で固定されている。このため、電線４３０ａは、電線４３０ｂに対して交差しており、この交差箇所を交差箇所４３８とする。
【００８４】
第１シート状部分４２２の端部、及び、第２シート状部分４２４ａ、４２４ｂの端部において、電線４３０ａ、４３０ｂ、４３０ｃは、適宜コネクタ４４０に接続されている。
【００８５】
この場合、分岐部分４５０Ａは、第２シート状部分４２４ａの両側縁のうち第２シート状部分４２４ｂから遠い側の縁を第１シート状部分４２２に延長した線４５０Ｌａと、第２シート状部分４２４ｂの両側縁のうち第２シート状部分４２４ａから遠い側の縁を第１シート状部分４２２側に延長した一対の線４５０Ｌｂとで囲まれる領域と捉えてもよい。上記交差箇所４３８は、分岐部分４５０Ａに位置している。
【００８６】
かかる配線部材４１０においても、分岐部分４５０Ａの近く折曲げられることは避けられると考えられるため、シート状部材４２０上で電線４３０ａ、４３０ｂ、４３０ｃの経路が乱れたり、シート状部材４２０から電線４３０ａ、４３０ｂ、４３０ｃが分離したりすることが抑制される。
【００８７】
なお、上記実施形態及び各変形例で説明した各構成は、相互に矛盾しない限り適宜組合わせることができる。例えば、１つの配線部材において、第１シート状部分に対して直交して分岐する第２シート状部分と、斜めに分岐する第２シート状部分とが混在していてもよい。また、配線部材１０において、第１シート状部分の側縁に追加してコネクタが設けられていてもよい。
【００８８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８９】
１０；１１０；２１０；３１０；４１０    配線部材
２０；２２０；３２０；４２０    シート状部材
２２；３２２；４２２    第１シート状部分
２４ａ、２４ｂ；３２４；４２４ａ、４２４ｂ    第２シート状部分
３０、３０ａ、３０ｂ、３０ｃ、３０ｄ、３０ｅ、３０ｆ；３３０ａ、３３０ｂ、３３０ｃ；４３０ａ、４３０ｂ、４３０ｃ    電線
３８ａ、３８ｂ、３８ｃ、３８ｄ、３９；３３８ａ、３３８ｂ；４３８    交差箇所
４０Ｃ    コネクタ
５０Ａ、５０Ｂ；２５０Ａ、２５０Ｂ；３５０Ａ；４５０Ａ    分岐部分
【図１】
2020121432.tif 000003
【図２】
2020121432.tif 000004
【図３】
2020121432.tif 000005
【図４】
2020121432.tif 000006
【図５】
2020121432.tif 000007
【図６】
2020121432.tif 000008
【手続補正書】
【提出日】令和3年5月12日(2021.5.12)
【手続補正１】
【補正対象書類名】明細書
【補正対象項目名】００１８
【補正方法】変更
【補正の内容】
【００１８】
第４の態様のように、シート状部材が、第１シート状部分と、第１シート状部分から分岐する第２シート状部分とを含む場合、通常、シート状部材の折曲げ箇所を少なくするため、第１シート状部分は、第２シート状部分を避けた位置で折曲げられる。このため、分岐部分が、前記第２シート状部分から前記第１シート状部分への延長領域を含めば、シート状部材を折曲げる際に、シート状部材が複数の線状伝送部材の交差箇所で折曲げられることを抑制できる。
【国際調査報告】
2020121432.tif 000009
2020121432.tif 000010
2020121432.tif 000011